(57)【要約】【課題】低粘度でありながら混合潤滑ないし境界潤滑条件のような厳しい潤滑条件下においても耐摩耗性能が高い冷凍機油及び当該冷凍機油を含む冷凍機用作動流体組成物を提供すること。【解決手段】潤滑油基油と、構成元素として硫黄及びリンを含む第一の極圧剤と、構成元素として硫黄を含まずリンを含む第二の極圧剤と、を含有し、１００℃における動粘度が０．５ｍｍ２／ｓ以上２．５ｍｍ２／ｓ以下である、冷凍機油。【選択図】なし【特許請求の範囲】
【請求項１】
潤滑油基油と、構成元素として硫黄及びリンを含む第一の極圧剤と、構成元素として硫黄を含まずリンを含む第二の極圧剤と、を含有し、１００℃における動粘度が０．５ｍｍ２／ｓ以上２．５ｍｍ２／ｓ以下である、冷凍機油。
【請求項２】
前記第一の極圧剤と前記第二の極圧剤との合計量が、冷凍機油全量を基準として０．１質量％以上５質量％以下である、請求項１に記載の冷凍機油。
【請求項３】
前記第一の極圧剤の含有量が、前記第一の極圧剤と前記第二の極圧剤との合計量を基準として５質量％以上２０質量％以下である、請求項１又は２に記載の冷凍機油。
【請求項４】
前記第一の極圧剤の含有量が、冷凍機油全量を基準として０．０１質量％以上２質量％以下である、請求項１〜３のいずれか一項に記載の冷凍機油。
【請求項５】
潤滑油基油と、構成元素として硫黄及びリンを含む第一の極圧剤と、構成元素として硫黄を含まずリンを含む第二の極圧剤と、を含有し、１００℃における動粘度が０．５ｍｍ２／ｓ以上２．５ｍｍ２／ｓ以下である、冷凍機油と、
冷媒と、を含有する冷凍機用作動流体組成物。
【発明の詳細な説明】
【技術分野】
【０００１】
本発明は、冷凍機油及び冷凍機用作動流体組成物に関する。
【背景技術】
【０００２】
冷蔵庫、空調等の冷凍機には、冷媒を冷媒循環システム内に循環させるための圧縮機を備えている。圧縮機には、摺動部材を潤滑するための冷凍機油が充填される。一般的に、冷凍機油の粘度が低いほど撹拌抵抗及び摺動部の摩擦を低減できるため、冷凍機油の低粘度化は、冷凍機の省エネルギー化につながる。特許文献１には、例えば、ＶＧ３以上でＶＧ８以下の所定の冷凍機油が開示されている。
【先行技術文献】
【特許文献】
【０００３】
【特許文献１】国際公開第２００６／０６２２４５号
【発明の概要】
【発明が解決しようとする課題】
【０００４】
しかしながら、冷凍機油の粘度が低くなると、摺動部における油膜の保持が難しくなるため、耐摩耗性を維持できなくなるおそれがある。そのうえ、冷凍機油は冷凍機内で冷媒と相溶するため、使用時の粘度は冷凍機油自体と比べて大きく低下し、潤滑条件は流体潤滑領域から混合潤滑ないし境界潤滑領域へと変化し、摺動材同士の接触頻度が高くなる。したがって、特に１００℃における動粘度が２．５ｍｍ２／ｓ以下又は２．０ｍｍ２／ｓ以下のような超低粘度の冷凍機油の使用については、これまで十分に検討がなされていない。とりわけ、このような超低粘度の冷凍機油を用いつつ、混合潤滑ないし境界潤滑条件のような厳しい潤滑条件下においても耐摩耗性が高い冷凍機油を得ることは極めて困難である。
【０００５】
本発明は、このような実情に鑑みてなされたものであり、低粘度でありながら混合潤滑ないし境界潤滑条件のような厳しい潤滑条件下においても耐摩耗性能が高い冷凍機油及び当該冷凍機油を含む冷凍機用作動流体組成物を提供することを目的とする。
【課題を解決するための手段】
【０００６】
本発明は、潤滑油基油と、構成元素として硫黄及びリンを含む第一の極圧剤と、構成元素として硫黄を含まずリンを含む第二の極圧剤と、を含有し、１００℃における動粘度が０．５ｍｍ２／ｓ以上２．５ｍｍ２／ｓ以下である、冷凍機油を提供する。
【０００７】
第一の極圧剤と第二の極圧剤との合計量は、冷凍機油全量を基準として、好ましくは０．１質量％以上５質量％以下である。
【０００８】
第一の極圧剤の含有量は、第一の極圧剤と第二の極圧剤との合計量を基準として、好ましくは５質量％以上２０質量％以下である。
【０００９】
第一の極圧剤の含有量は、冷凍機油全量を基準として、好ましくは０．０１質量％以上２質量％以下である。
【００１０】
また、本発明は、上述した本発明に係る冷凍機油と、冷媒と、を含有する冷凍機用作動流体組成物を提供する。
【発明の効果】
【００１１】
本発明によれば、低粘度でありながら混合潤滑ないし境界潤滑条件のような厳しい潤滑条件下においても耐摩耗性能が高い冷凍機油及び当該冷凍機油を含む冷凍機用作動流体組成物を提供することが可能となる。
【図面の簡単な説明】
【００１２】
【図１】冷凍機の構成の一例を示す概略図である。
【発明を実施するための形態】
【００１３】
以下、本発明の実施形態について詳細に説明する。
【００１４】
冷凍機油の１００℃における動粘度は、０．５ｍｍ２／ｓ以上２．５ｍｍ２／ｓ以下である。冷凍機油の１００℃における動粘度は、耐摩耗性と冷凍機の省エネルギー化とのバランスに更に優れる観点から、好ましくは０．６ｍｍ２／ｓ以上２．０ｍｍ２／ｓ以下、より好ましくは０．８ｍｍ２／ｓ以上１．５ｍｍ２／ｓ以下、更に好ましくは１．０ｍｍ２／ｓ以上１．４ｍｍ２／ｓ以下である。本発明における動粘度は、ＪＩＳ  Ｋ２２８３：２０００に準拠して測定された動粘度を意味する。
【００１５】
冷凍機油の４０℃における動粘度は、例えば、２．０ｍｍ２／ｓ以上、２．５ｍｍ２／ｓ以上、３．０ｍｍ２／ｓ以上、又は３．２ｍｍ２／ｓであってよく、例えば、４．５ｍｍ２／ｓ以下、４．０ｍｍ２／ｓ以下、又は３．５ｍｍ２／ｓ以下であってよい。
【００１６】
冷凍機油のアニリン点は、例えば、耐摩耗性に更に優れる観点から、６０℃以上、７０℃以上、７３℃以上、７６℃以上、又は８０℃以上であってよい。また、冷凍機油のアニリン点は、例えば、冷凍装置（冷凍機）内に使用されるＰＥＴ（ポリエチレンテレフタレート）材、シール材等の有機材料との適合性の観点から、１００℃以下、９５℃以下、又は９０℃以下であってよい。本発明におけるアニリン点は、ＪＩＳ  Ｋ２２５６：２０１３に準拠して測定された値を意味する。
【００１７】
冷凍機油のガスクロマトグラフィー蒸留（以下、ＧＣ蒸留ともいう。）による蒸留性状（特に記載がない場合もＧＣ蒸留による蒸留性状を意味する）は、冷凍機油の低粘度化と潤滑性とのバランスに更に優れ、さらには引火点を高く維持する観点から、好ましくは、低沸点側の留出温度を高くしつつ、高沸点側の留出温度を適正な範囲に維持する。このような冷凍機油は、以下で説明する蒸留性状を有することが望ましい。
【００１８】
冷凍機油の初留点ＩＢＰは、例えば、２００℃以上、２１０℃以上、２２０℃以上、又は２３０℃以上であってよく、例えば、２６０℃以下、２５０℃以下、又は２４０℃以下であってよい。
【００１９】
冷凍機油の５％留出温度Ｔ５は、例えば、２０５℃以上、２１５℃以上、２２５℃以上、又は２３５℃以上であってよく、例えば、２６５℃以下、２５５℃以下、又は２４５℃以下であってよい。
【００２０】
冷凍機油の１０％留出温度Ｔ１０は、例えば、２１０℃以上、２２０℃以上、２３０℃以上、又は２４０℃以上であってよく、例えば、２７０℃以下、２６０℃以下、又は２５０℃以下であってよい。
【００２１】
冷凍機油の５０％留出温度Ｔ５０は、例えば、２３０℃以上、２４０℃以上、２５０℃以上、又は２６０℃以上であってよく、例えば、３１０℃以下、３００℃以下、又は２８０℃以下であってよい。
【００２２】
冷凍機油の７０％留出温度Ｔ７０は、例えば、潤滑性と高引火点の観点から、２５０℃以上、２６０℃以上、２７０℃以上、又は２８０℃以上であってよい。また、冷凍機油の７０％留出温度Ｔ７０は、例えば、低粘度化の観点から、３４０℃以下、３３０℃以下、３００℃以下であってよい。
【００２３】
冷凍機油の９０％留出温度Ｔ９０は、例えば、２７０℃以上、２８０℃以上、２９０℃以上、又は３００℃以上であってよく、耐摩耗性に更に優れる観点から、特に好ましくは、３２０℃以上、３３０℃以上、又は３４０℃以上である。また、冷凍機油の９０％留出温度Ｔ９０は、例えば、上記と同様の観点から、４００℃以下、３７０℃以下、３６０℃以下、又は３５５℃以下であってよい。
【００２４】
冷凍機油の９５％留出温度Ｔ９５は、例えば、例えば、２８０℃以上、２９０℃以上、３００℃以上、３１０℃以上、又は３３０℃以上であってよく、耐摩耗性に更に優れる観点から、特に好ましくは、３４０℃以上、３５０℃以上、又は３６０℃以上である。冷凍機油の９５％留出温度Ｔ９５は、例えば、４１０℃以下、４００℃以下、３９０℃以下、又は３８０℃以下であってよい。
【００２５】
冷凍機油の蒸留終点ＥＰは、例えば、潤滑性の観点から、３９０℃以上、３９５℃以上、４００℃以上であってよい。また、冷凍機油の蒸留終点ＥＰは、例えば、低粘度化の観点から、４４０℃以下、４３０℃以下、又は４２５℃以下であってよい。
【００２６】
冷凍機油の低粘度化と潤滑性のバランスに更に優れ、さらには引火点を高く維持する観点から、上記のとおり、好ましくは、低沸点側の留出温度を高くしつつ、高沸点側の留出温度を適正な範囲に維持する。上記に加え、蒸留範囲を広くするよりも以下のように適度に狭い範囲で、かつ狭すぎない範囲に維持することが望ましい。
【００２７】
冷凍機油の５％留出温度Ｔ５と９０％留出温度Ｔ９０との差（Ｔ９０−Ｔ５）は、例えば、４０℃以上、５０℃以上、又は６０℃以上であってよく、特に好ましくは、８０℃以上、又は１００℃以上であってよく、例えば、２００℃以下、１６０℃以下、１５０℃以下、１４０℃以下、又は１３０℃以下であってよい。
【００２８】
冷凍機油の初留点ＩＢＰと９０％留出温度Ｔ９０との差（Ｔ９０−ＩＢＰ）は、例えば、４０℃以上、５０℃以上、６０℃以上、又は７０℃以上であってよく、特に好ましくは、８０℃以上、又は１００℃以上であってよく、例えば、１７０℃以下、１６０℃以下、１５０℃以下、又は１４０℃以下であってよい。
【００２９】
冷凍機油の初留点ＩＢＰと９５％留出温度Ｔ９５との差（Ｔ９５−ＩＢＰ）は、例えば、５０℃以上、６０℃以上、７０℃以上、又は８０℃以上であってよく、特に好ましくは、１００℃以上、又は１２０℃以上であってよく、例えば、１８０℃以下、１７０℃以下、１６０℃以下、又は１５０℃以下であってよい。
【００３０】
冷凍機油の９０％留出温度Ｔ９０と９５％留出温度Ｔ９５との差（Ｔ９５−Ｔ９０）は、潤滑性の観点から、例えば、１℃以上、３℃以上、５℃以上、１０℃以上、又は２０℃以上であってよく、例えば、１００℃以下、８０℃以下、５０℃以下、又は４０℃以下であってよい。
【００３１】
冷凍機油の９０％留出温度Ｔ９０と蒸留終点ＥＰとの差（ＥＰ−Ｔ９０）は、潤滑性の観点から、例えば、３０℃以上、５０℃以上、６０℃以上、又は７０℃以上であってよく、例えば、１５０℃以下、１４０℃以下、１３０℃以下、又は１２０℃以下、特に好ましくは、１００℃以下、９０℃以下、又は８０℃以下であってよい。
【００３２】
本発明における初留点、５％留出温度、１０％留出温度、５０％留出温度、７０％留出温度、９０％留出温度及び蒸留終点は、それぞれＡＳＴＭ  Ｄ７２１３−０５に規定されるガスクロマトグラフィーによる蒸留試験方法に準拠して測定された初留点、５（容量）％留出温度、１０（容量）％留出温度、５０（容量）％留出温度、７０（容量）％留出温度、９０（容量）％留出温度、９５（容量）％留出温度及び蒸留終点を意味する。
【００３３】
冷凍機油の硫黄分は、例えば、０．００１質量％以上、又は０．００５質量％以上であってよく、例えば、０．３質量％以下、０．１質量％以下、又は０．０５質量％以下であってよい。本発明における硫黄分は、ＪＩＳ  Ｋ２５４１−６：２０１３で規定される紫外蛍光法によって測定された硫黄分を意味する。なお、冷凍機油の硫黄分の由来成分については、特に制限されるものではないが、耐摩耗性に更に優れる観点から、上記冷凍機油の硫黄分は、後述する潤滑油基油由来の硫黄分も含むことが好ましい。冷凍機油の硫黄分のうち、潤滑油基油由来の硫黄分の割合は、例えば、５質量％以上、１０質量％以上、又は２０質量％以上であってよく、例えば、５０質量％以下、４０質量％以下、又は３０質量％以下であってよい。
【００３４】
冷凍機油の環分析による組成割合は、冷凍機油の低粘度化と潤滑性のバランスに更に優れ、さらには引火点を高く維持する観点から、好ましくは、以下に示す範囲に維持する。
【００３５】
冷凍機油の％ＣＰは、例えば、１５以上、４０以上、又は５０以上であってよく、例えば、７０以下、６０以下、又は５５以下であってよい。
【００３６】
冷凍機油の％ＣＮは、例えば、３０以上、３５以上、又は４０以上であってよく、例えば、８５以下、７０以下、６０以下、５０以下、又は４９以下であってよい。
【００３７】
冷凍機油の％ＣＰに対する％ＣＮの比（％ＣＮ／％ＣＰ）は、例えば、０．５以上、０．６以上、又は０．７以上であってよく、例えば、４．５以下、２．０以下、１．４以下、１．３以下、又は１．２以下であってよい。
【００３８】
冷凍機油の％ＣＡは、例えば、潤滑性や安定性の観点から、８以下、５以下、又は３以下であってよく、０であってもよいが、０．５以上、又は１以上であってよい。
【００３９】
本発明における％ＣＰ、％ＣＮ及び％ＣＡは、それぞれＡＳＴＭ  Ｄ３２３８−９５（２０１０）に準拠した方法（ｎ−ｄ−Ｍ環分析）により測定された値を意味する。
【００４０】
冷凍機油の引火点は、例えば、安全性の観点から、１００℃以上、１１０℃以上、又は１２０℃以上であってよく、例えば、低粘度油とする観点から、１５５℃以下、又は１４５℃以下であってよい。本発明における引火点は、ＪＩＳ  Ｋ２２６５−４：２００７（クリーブランド解放（ＣＯＣ）法）に準拠して測定された引火点を意味する。
【００４１】
冷凍機油の流動点は、例えば、−１０℃以下、又は−２０℃以下であってよく、−５０℃以下であってもよいが、精製コストの観点からは、−４０℃以上であってもよい。本発明における流動点は、ＪＩＳ  Ｋ２２６９：１９８７に準拠して測定された流動点を意味する。
【００４２】
冷凍機油の酸価は、例えば、１．０ｍｇＫＯＨ／ｇ以下、又は０．１ｍｇＫＯＨ／ｇ以下であってよい。本発明における酸価は、ＪＩＳ  Ｋ２５０１：２００３に準拠して測定された酸価を意味する。
【００４３】
冷凍機油の体積抵抗率は、例えば、１．０×１０９Ω・ｍ以上、１．０×１０１０Ω・ｍ以上、又は１．０×１０１１Ω・ｍ以上であってよい。本発明における体積抵抗率は、ＪＩＳ  Ｃ２１０１：１９９９に準拠して測定した２５℃での体積抵抗率を意味する。
【００４４】
冷凍機油の水分含有量は、冷凍機油全量基準で、例えば、２００ｐｐｍ以下、１００ｐｐｍ以下、又は５０ｐｐｍ以下であってよい。
【００４５】
冷凍機油の灰分は、例えば、１００ｐｐｍ以下、又は５０ｐｐｍ以下であってよい。本発明における灰分は、ＪＩＳ  Ｋ２２７２：１９９８に準拠して測定された灰分を意味する。
【００４６】
上記のような性状を有する本実施形態に係る冷凍機油は、潤滑油基油と、硫黄及びリンを含む第一の極圧剤と、硫黄を含まずリンを含む第二の極圧剤と、を含有する。
【００４７】
潤滑油基油としては、例えば鉱油が挙げられる。鉱油は、パラフィン系、ナフテン系等の原油を常圧蒸留及び減圧蒸留して得られた潤滑油留分を、溶剤脱れき、溶剤精製、水素化精製、水素化分解、溶剤脱ろう、水素化脱ろう、白土処理、硫酸洗浄などの方法で精製することによって得ることができる。これらの精製方法は、１種単独で用いられてもよく、２種以上を組み合わせて用いられてもよい。潤滑油基油としては、入手性の観点から、好ましくは、一般に溶剤、希釈剤、金属加工油等の用途に使用される低粘度の潤滑油基油を適宜選択したものが使用される。
【００４８】
上記のような性状を有する冷凍機油を製造するためには、主成分（例えば９０質量％以上）となる潤滑油基油の性状についても、本明細書で特に規定しない限り、上記と同等であることが望ましい。そのため、上記では冷凍機油の各項目の性状についての範囲を示したが、本明細書中で特に規定しない限り、冷凍機油に含まれる潤滑油基油の各項目についての範囲と読み替えてもよい。例えば、潤滑油基油のＧＣ蒸留による蒸留性状は、冷凍機油の蒸留性状が上記した範囲となるならば、特に制限はない。潤滑油基油の初留点ＩＢＰから９０％留出温度Ｔ９０までの規定及びそれに関連する規定については、添加剤配合の影響を受けにくいため、例えば上記した冷凍機油の蒸留性状と略同一又は±５℃以内と読み替えてもよい。潤滑油基油の蒸留終点ＥＰは、例えば４５０℃以下であってよく、９５％留出温度Ｔ９５は、例えば４１０℃以下であってよい。
【００４９】
潤滑油基油は、上記鉱油からなってもよいが、通常、潤滑油基油全量基準で鉱油の割合は５０質量％以上、７０質量％以上、又は９０質量％であってよい。本発明の効果を著しく阻害しない限りにおいて、上記鉱油に加えて、アルキルベンゼン等の炭化水素油、又はエステル等の含酸素油を更に含有していてよい。
【００５０】
アルキルベンゼンは、下記アルキルベンゼン（ａ１）及びアルキルベンゼン（ａ２）からなる群より選ばれる少なくとも１種であってよい。
アルキルベンゼン（ａ１）：炭素数１〜１９のアルキル基を１〜４個有し、かつそのアルキル基の合計炭素数が９〜１９であるアルキルベンゼン（好ましくは、炭素数１〜１５のアルキル基を１〜４個有し、かつそのアルキル基の合計炭素数が９〜１５であるアルキルベンゼン）
アルキルベンゼン（ａ２）：炭素数１〜４０のアルキル基を１〜４個有し、かつそのアルキル基の合計炭素数が２０〜４０であるアルキルベンゼン（好ましくは、炭素数１〜３０のアルキル基を１〜４個有し、かつそのアルキル基の合計炭素数が２０〜３０であるアルキルベンゼン）
【００５１】
エステルは、例えば、１価アルコール又は２価アルコールと脂肪酸とのエステルであってよい。１価アルコール又は２価アルコールは、例えば、炭素数４〜１２の脂肪族アルコールであってよい。脂肪酸は、例えば、炭素数４〜１９の脂肪酸であってよい。
【００５２】
潤滑油基油の４０℃における動粘度は、例えば、２．０ｍｍ２／ｓ以上、２．５ｍｍ２／ｓ以上、又は２．７ｍｍ２／ｓ以上であってよく、例えば、４．５ｍｍ２／ｓ以下、４．０ｍｍ２／ｓ以下、又は３．５ｍｍ２／ｓ以下であってよい。潤滑油基油の１００℃における動粘度は、例えば、０．５ｍｍ２／ｓ以上、０．６ｍｍ２／ｓ以上、０．８ｍｍ２／ｓ以上、又は１．０ｍｍ２／ｓ以上であってよく、例えば、２．５ｍｍ２／ｓ以下、２．０ｍｍ２／ｓ以下、１．５ｍｍ２／ｓ以下、又は１．３ｍｍ２／ｓ以下であってよい。
【００５３】
潤滑油基油の硫黄分は、例えば、０．０５質量％以下、０．０２質量％以下、又は０．０１質量％以下であってよく、さらには、０．０２質量％未満であってよい。潤滑油基油の硫黄分は、０．０００１質量％未満であってもよいが、第一及び第二の極圧剤との併用効果をより高める観点から、例えば、０．０００１質量％以上、０．０００５質量％以上、又は０．００１質量％以上であってよい。
【００５４】
潤滑油基油の含有量は、冷凍機油全量基準で、例えば、５０質量％以上、６０質量％以上、７０質量％以上、８０質量％以上、９０質量％以上、又は９５質量％以上であってよく、例えば、９９．５質量％以下、９９質量％以下、又は９８．５質量％以下であってよい。
【００５５】
本実施形態に係る冷凍機油は、第一の極圧剤及び第二の極圧剤を含有する。
【００５６】
第一の極圧剤は、同一分子内に構成元素として硫黄及びリンを含む極圧剤であり、このような極圧剤として好適には、チオリン酸エステル等が挙げられる。
【００５７】
チオリン酸エステルとしては、トリブチルホスフォロチオネート、トリペンチルホスフォロチオネート、トリヘキシルホスフォロチオネート、トリヘプチルホスフォロチオネート、トリオクチルホスフォロチオネート、トリノニルホスフォロチオネート、トリデシルホスフォロチオネート、トリウンデシルホスフォロチオネート、トリドデシルホスフォロチオネート、トリトリデシルホスフォロチオネート、トリテトラデシルホスフォロチオネート、トリペンタデシルホスフォロチオネート、トリヘキサデシルホスフォロチオネート、トリヘプタデシルホスフォロチオネート、トリオクタデシルホスフォロチオネート、トリオレイルホスフォロチオネート、トリフェニルホスフォロチオネート、トリクレジルホスフォロチオネート、トリキシレニルホスフォロチオネート、クレジルジフェニルホスフォロチオネート、キシレニルジフェニルホスフォロチオネートなどが挙げられる。これらの中でも、トリフェニルホスフォロチオネートが好ましい。
【００５８】
第二の極圧剤は、同一分子内に構成元素として硫黄を含まずリンを含む極圧剤であり、このような極圧剤として好適には、硫黄を含まない、リン酸エステル、酸性リン酸エステル、酸性リン酸エステルのアミン塩、塩素化リン酸エステル、亜リン酸エステル等が挙げられる。
【００５９】
リン酸エステルとしては、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリキシレニルホスフェート、クレジルジフェニルホスフェート、キシレニルジフェニルホスフェートなどが挙げられる。これらの中でも、トリフェニルホスフェートやトリクレジルホスフェートが好ましい。トリフェニルホスフェートとしては、例えば、トリ（ブチルフェニル）ホスフェート等が挙げられる。
【００６０】
酸性リン酸エステルとしては、モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、ジオレイルアシッドホスフェートなどが挙げられる。
【００６１】
酸性リン酸エステルのアミン塩としては、上記の酸性リン酸エステルのメチルアミン、エチルアミン、プロピルアミン、ブチルアミン、ペンチルアミン、ヘキシルアミン、ヘプチルアミン、オクチルアミン、ジメチルアミン、ジエチルアミン、ジプロピルアミン、ジブチルアミン、ジペンチルアミン、ジヘキシルアミン、ジヘプチルアミン、ジオクチルアミン、トリメチルアミン、トリエチルアミン、トリプロピルアミン、トリブチルアミン、トリペンチルアミン、トリヘキシルアミン、トリヘプチルアミン、トリオクチルアミンなどのアミンとの塩が挙げられる。
【００６２】
塩素化リン酸エステルとしては、トリス・ジクロロプロピルホスフェート、トリス・クロロエチルホスフェート、トリス・クロロフェニルホスフェート、ポリオキシアルキレン・ビス［ジ（クロロアルキル）］ホスフェートなどが挙げられる。亜リン酸エステルとしては、ジブチルホスファイト、ジペンチルホスファイト、ジヘキシルホスファイト、ジヘプチルホスファイト、ジオクチルホスファイト、ジノニルホスファイト、ジデシルホスファイト、ジウンデシルホスファイト、ジドデシルホスファイト、ジオレイルホスファイト、ジフェニルホスファイト、ジクレジルホスファイト、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリオレイルホスファイト、トリフェニルホスファイト、トリクレジルホスファイトなどが挙げられる。
【００６３】
第一の極圧剤と第二の極圧剤との合計量は、耐摩耗性に更に優れる観点から、冷凍機油全量を基準として、例えば、０．１質量％以上、１質量％以上、１．５質量％以上、又は１．６質量％以上であってよく、例えば、５質量％以下、３質量％以下、２．５質量％以下、又は２質量％以下であってよい。
【００６４】
また、第一の極圧剤と第二の極圧剤との合計量を基準とした第一の極圧剤の含有量の割合は、耐摩耗性に更に優れる観点から、例えば、５質量％以上、８質量％以上、又は１０質量％以上であってよく、例えば、２０質量％以下、１８質量％以下、１５質量％以下、又は１４質量％以下であってよい。
【００６５】
第一の極圧剤の含有量は、耐摩耗性に更に優れる観点から、冷凍機油全量を基準として、例えば、０．０１質量％以上、０．０５質量％以上、又は０．１質量％以上であってよく、例えば、２質量％以下、１質量％以下、０．５質量％以下、又は０．４質量％以下であってよい。第二の極圧剤の含有量は、耐摩耗性に更に優れる観点から、冷凍機油全量を基準として、例えば、０．５質量％以上、１質量％以上、又は１．２質量％以上であってよく、例えば、５質量％以下、３質量％以下、２質量％以下、又は１．８質量％以下であってよい。
【００６６】
冷凍機油は、上述した潤滑油基油、第一の極圧剤及び第二の極圧剤のほか、例えば以下に示す潤滑油添加剤を含有することができる。潤滑油添加剤としては、例えば、酸捕捉剤、酸化防止剤、上記第一の極圧剤及び第二の極圧剤以外の極圧剤、油性剤、消泡剤、金属不活性化剤、耐摩耗剤、粘度指数向上剤、流動点降下剤、清浄分散剤等が挙げられる。これらの潤滑油添加剤の含有量は、冷凍機油全量基準で、１０質量％以下又は５質量％以下であってよい。
【００６７】
本実施形態に係る冷凍機油は、通常、冷凍機において、冷媒と混合された冷凍機用作動流体組成物の状態で存在している。すなわち、本実施形態に係る冷凍機用作動流体組成物は、上記の冷凍機油と冷媒とを含有する。冷凍機用作動流体組成物における冷凍機油の含有量は、冷媒１００質量部に対して、１〜５００質量部、又は２〜４００質量部であってよい。
【００６８】
冷媒としては、炭化水素冷媒、飽和フッ化炭化水素冷媒、不飽和フッ化炭化水素冷媒、パーフルオロエーテル類等の含フッ素エーテル系冷媒、ビス（トリフルオロメチル）サルファイド冷媒、２フッ化ヨウ化メタン冷媒、及び、アンモニア、二酸化炭素等の自然系冷媒が例示される。
【００６９】
炭化水素冷媒は、好ましくは炭素数１〜５の炭化水素、より好ましくは炭素数２〜４の炭化水素である。炭化水素としては、具体的には例えば、メタン、エチレン、エタン、プロピレン、プロパン（Ｒ２９０）、シクロプロパン、ノルマルブタン、イソブタン（Ｒ６００ａ）、シクロブタン、メチルシクロプロパン、２−メチルブタン、ノルマルペンタン又はこれらの２種以上の混合物が挙げられる。炭化水素冷媒は、これらの中でも好ましくは、２５℃、１気圧で気体の炭化水素冷媒であり、より好ましくは、プロパン、ノルマルブタン、イソブタン、２−メチルブタン又はこれらの混合物である。
【００７０】
飽和フッ化炭化水素冷媒は、好ましくは炭素数１〜３、より好ましくは１〜２の飽和フッ化炭化水素である。飽和フッ化炭化水素冷媒としては、具体的には、ジフルオロメタン（Ｒ３２）、トリフルオロメタン（Ｒ２３）、ペンタフルオロエタン（Ｒ１２５）、１，１，２，２−テトラフルオロエタン（Ｒ１３４）、１，１，１，２−テトラフルオロエタン（Ｒ１３４ａ）、１，１，１−トリフルオロエタン（Ｒ１４３ａ）、１，１−ジフルオロエタン（Ｒ１５２ａ）、フルオロエタン（Ｒ１６１）、１，１，１，２，３，３，３−ヘプタフルオロプロパン（Ｒ２２７ｅａ）、１，１，１，２，３，３−ヘキサフルオロプロパン（Ｒ２３６ｅａ）、１，１，１，３，３，３−ヘキサフルオロプロパン（Ｒ２３６ｆａ）、１，１，１，３，３−ペンタフルオロプロパン（Ｒ２４５ｆａ）、及び１，１，１，３，３−ペンタフルオロブタン（Ｒ３６５ｍｆｃ）、又はこれらの２種以上の混合物が挙げられる。
【００７１】
飽和フッ化炭化水素冷媒は、上記の中から用途や要求性能に応じて適宜選択される。飽和フッ化炭化水素冷媒は、例えばＲ３２単独；Ｒ２３単独；Ｒ１３４ａ単独；Ｒ１２５単独；Ｒ１３４ａ／Ｒ３２＝６０〜８０質量％／４０〜２０質量％の混合物；Ｒ３２／Ｒ１２５＝４０〜７０質量％／６０〜３０質量％の混合物；Ｒ１２５／Ｒ１４３ａ＝４０〜６０質量％／６０〜４０質量％の混合物；Ｒ１３４ａ／Ｒ３２／Ｒ１２５＝６０質量％／３０質量％／１０質量％の混合物；Ｒ１３４ａ／Ｒ３２／Ｒ１２５＝４０〜７０質量％／１５〜３５質量％／５〜４０質量％の混合物；Ｒ１２５／Ｒ１３４ａ／Ｒ１４３ａ＝３５〜５５質量％／１〜１５質量％／４０〜６０質量％の混合物などである。飽和フッ化炭化水素冷媒は、さらに具体的には、Ｒ１３４ａ／Ｒ３２＝７０／３０質量％の混合物；Ｒ３２／Ｒ１２５＝６０／４０質量％の混合物；Ｒ３２／Ｒ１２５＝５０／５０質量％の混合物（Ｒ４１０Ａ）；Ｒ３２／Ｒ１２５＝４５／５５質量％の混合物（Ｒ４１０Ｂ）；Ｒ１２５／Ｒ１４３ａ＝５０／５０質量％の混合物（Ｒ５０７Ｃ）；Ｒ３２／Ｒ１２５／Ｒ１３４ａ＝３０／１０／６０質量％の混合物；Ｒ３２／Ｒ１２５／Ｒ１３４ａ＝２３／２５／５２質量％の混合物（Ｒ４０７Ｃ）；Ｒ３２／Ｒ１２５／Ｒ１３４ａ＝２５／１５／６０質量％の混合物（Ｒ４０７Ｅ）；Ｒ１２５／Ｒ１３４ａ／Ｒ１４３ａ＝４４／４／５２質量％の混合物（Ｒ４０４Ａ）などであってよい。
【００７２】
不飽和フッ化炭化水素（ＨＦＯ）冷媒は、好ましくは炭素数２〜３の不飽和フッ化炭化水素、より好ましくはフルオロプロペン、更に好ましくはフッ素数が３〜５のフルオロプロペンである。不飽和フッ化炭化水素冷媒は、好ましくは、１，２，３，３，３−ペンタフルオロプロペン（ＨＦＯ−１２２５ｙｅ）、１，３，３，３−テトラフルオロプロペン（ＨＦＯ−１２３４ｚｅ）、２，３，３，３−テトラフルオロプロペン（ＨＦＯ−１２３４ｙｆ）、１，２，３，３−テトラフルオロプロペン（ＨＦＯ−１２３４ｙｅ）、及び３，３，３−トリフルオロプロペン（ＨＦＯ−１２４３ｚｆ）のいずれか１種又は２種以上の混合物である。不飽和フッ化炭化水素冷媒は、冷媒物性の観点からは、好ましくは、ＨＦＯ−１２２５ｙｅ、ＨＦＯ−１２３４ｚｅ及びＨＦＯ−１２３４ｙｆから選ばれる１種又は２種以上である。不飽和フッ化炭化水素冷媒は、フルオロエチレンであってもよく、好ましくは１，１，２，３−トリフルオロエチレンである。
【００７３】
これら冷媒の中では、地球環境への影響を低減するため、地球温暖化係数（ＧＷＰ）の低い冷媒が好ましい。このような冷媒としては、例えば、不飽和フッ化炭化水素冷媒、Ｒ２９０、Ｒ６００ａ等の自然冷媒から選ばれる少なくとも１種を含む、ＧＷＰが１０００以下の混合冷媒などが挙げられる。これら冷媒のＧＷＰは、５００以下、１００以下、５０以下又は１０以下であってよい。
【００７４】
これら冷媒の沸点は、冷却能力の点で、例えば０℃以下、−６０℃以上であることが好ましい。中でも、圧縮比が低く体積能力が高い点では、−３０℃以下であることがより好ましく、圧力が低く圧縮機の摺動損失が小さい点では、−３０℃以上であることがより好ましい。圧縮比が低く体積能力が高い冷媒としては、例えばＲ２９０（沸点：−４２．１℃）が挙げられ、圧力が低く圧縮機の摺動損失が小さい冷媒としては、例えばＲ６００ａ（沸点：−１１．６℃）が挙げられる。冷凍機油の低粘度化と相まって、圧縮機の摺動損失低減による冷凍機の効率向上効果が期待される観点から、Ｒ６００ａを用いることが特に好ましい。
【００７５】
本実施形態に係る冷凍機油及び冷凍機用作動流体組成物は、往復動式や回転式の密閉型圧縮機を有するエアコン、冷蔵庫、開放型又は密閉型のカーエアコン、除湿機、給湯器、冷凍庫、冷凍冷蔵倉庫、自動販売機、ショーケース、化学プラント等の冷凍機、遠心式の圧縮機を有する冷凍機等に好適に用いられる。
【００７６】
図１は、本実施形態に係る冷凍機油及び冷凍機用作動流体組成物が適用される冷凍機の構成の一例を示す概略図である。図１に示すように、冷凍機１０は、例えば、冷媒圧縮機１と、ガスクーラー２と、膨張機構３（キャピラリ、膨張弁など）と、蒸発器４とが流路５で順次接続された冷媒循環システムを少なくとも備えている。かかる冷媒循環システムにおいては、まず、冷媒圧縮機１から流路５内に吐出された高温（通常７０〜１２０℃）の冷媒が、ガスクーラー２にて高密度の流体（超臨界流体等）となる。続いて、冷媒は膨張機構３が有する狭い流路を通ることによって液化し、さらに蒸発器４にて気化して低温（通常−４０〜０℃）となる。
【００７７】
図１中の冷媒圧縮機１内においては、高温（通常７０〜１２０℃）条件下、少量の冷媒と多量の冷凍機油とが共存する。冷媒圧縮機１から流路５に吐出される冷媒は、気体状であり、少量（通常１〜１０％）の冷凍機油をミストとして含んでいるが、このミスト状の冷凍機油中には少量の冷媒が溶解している（図１中の点ａ）。次に、ガスクーラー２内においては、気体状の冷媒が圧縮されて高密度の流体となり、比較的高温（５０〜７０℃前後）条件下で多量の冷媒と少量の冷凍機油とが共存する（図１中の点ｂ）。さらに、多量の冷媒と少量の冷凍機油との混合物は膨張機構３、蒸発器４に順次送られて急激に低温（通常−４０〜０℃）となり（図１中の点ｃ、ｄ）、再び冷媒圧縮機１に戻される。
【００７８】
本実施形態に係る冷凍機油及び冷凍機用作動流体組成物は、上述の冷媒とともに使用することができるが、冷媒混合時の冷温特性及び相溶性の点で、特に炭化水素冷媒とともに好適に用いられる。
【実施例】
【００７９】
以下、実施例に基づいて本発明を更に具体的に説明するが、本発明は実施例に限定されるものではない。
【００８０】
潤滑油基油として、表１に示す性状を有する市販の基油１〜４を用意した。
【００８１】
【表１】
2019104778.tif 000002
【００８２】
基油１〜４と以下に示す第一の極圧剤及び第二の極圧剤とを用いて、表２〜４に示す組成及び性状の冷凍機油（実施例１〜１１及び比較例１〜２）を調製した。なお、表中、複数の基油番号が記載されているもの（例えば、実施例５における「基油１，２，４」）は、各基油を混合して調製した混合基油を用いたことを意味する。また、表２〜４において、「Ａ／（Ａ＋Ｂ）×１００」は、第一の極圧剤（Ａ成分）と第二の極圧剤（Ｂ成分）との合計量を基準とした第一の極圧剤（Ａ成分）の含有量の割合を意味する。
【００８３】
（第一の極圧剤）
Ａ：トリフェニルホスフォロチオネート
【００８４】
（第二の極圧剤）
Ｂ１：トリクレジルホスフェート
Ｂ２：トリ（ブチルフェニル）ホスフェート
【００８５】
（耐摩耗性試験）
実施例及び比較例の各冷凍機油を試験油として、以下に示す手順で耐摩耗性を評価した。結果を表２〜４に示す。
耐摩耗性試験は、ＡＳＴＭ  Ｄ４１７２−９４に準拠する高速四球試験により行った。剛球としてＳＵＪ２を用い、試験油量２０ｍｌ、試験温度８０℃、回転数１２００ｒｐｍ、負荷荷重１９６Ｎ、試験時間１５分間の条件で試験を行った。耐摩耗性の評価は、固定球の摩耗痕径（ｍｍ）の平均値を用いた。なお、このときの面圧は、約２．３ＧＰａであり、周速は、約３６ｃｍ／ｓと算出された。この条件における摩耗痕径の平均値が０．７ｍｍ以下であると、混合潤滑ないし境界潤滑条件のような厳しい潤滑条件下においても耐摩耗性能が高い冷凍機油ということができる。摩耗痕径の平均値は、好ましくは０．５ｍｍ以下であり、より好ましくは０．４５ｍｍ以下であり、更に好ましくは０．４ｍｍ以下である。
【００８６】
【表２】
2019104778.tif 000003
【００８７】
【表３】
2019104778.tif 000004
【００８８】
【表４】
2019104778.tif 000005
【００８９】
（炭化水素冷媒混合時の二層分離温度）
また、これらの実施例で用いた冷凍機油について、ＪＩＳ  Ｋ２２１１：２００９付属書Ｄ「冷媒との相溶試験方法」に準拠し、冷媒としてイソブタン（Ｒ６００ａ）を用い、試験油濃度を１０質量％としたときの二層分離温度を測定した。このときの二層分離温度は−５０℃以下であり、これらの実施例で用いた冷凍機油が炭化水素冷媒用冷凍機油として使用可能であることを確認した。
【符号の説明】
【００９０】
１…冷媒圧縮機、２…ガスクーラー、３…膨張機構、４…蒸発器、５…流路、１０…冷凍機。
【図１】
2019104778.tif 000006